(57)【要約】【課題】ファイル用の穴の開いた用紙類やシート類等を破損させることなく即座に取り外したり、取り付けも簡単に行える係止綴具及びこれを用いたフォルダーファイルを提供する。【解決手段】弾性変形する一方のアーチ部２と他方のアーチ部２と、これら両方のアーチ部２，２が取り付けられる台座３とを備え、上記一方のアーチ部２と他方のアーチ部２の先端部２ａ，２ａ同士が上記弾性変形を利用した接触状態におかれている。そして、一方と他方のアーチ部２，２の幅Ｈ１及び／又は厚さＨ２が各々の基端側２ｂから先端部２ａに向かって狭くなっている。【選択図】図５
2007130920.tif 000002
【特許請求の範囲】
【請求項１】
ファイル用の穴の開いた用紙類やシート類等を取り外したり取り付けたりする係止綴具であって、弾性変形する一方のアーチ部と他方のアーチ部と、これら両方のアーチ部の基端側が取り付けられる台座とを備え、上記一方のアーチ部と他方のアーチ部の先端部同士が、上記弾性変形を利用した接触状態におかれていることを特徴とする係止綴具。
【請求項２】
前記台座と前記一方のアーチ部と他方のアーチ部とが同じゴム製で一体的に成形されるとともに、全体で略半円形状を呈するように構成されることを特徴とする請求項１記載の係止綴具。
【請求項３】
前記一方と他方のアーチ部の幅及び／又は厚さが各々の基端側から先端部に向かって狭くなっていることを特徴とする請求項１記載の係止綴具。
【請求項４】
前記台座に、磁石が固定されるか、接着剤を付着させたシートが貼着されているか、又は、両面テープが貼着されていることを特徴とする請求項１記載の係止綴具。
【請求項５】
請求項１ないし請求項４記載の係止綴具が、フレキシブル合成樹脂素材として二つ折りにされて使用されるフォルダーファイルに、前記台座を介して取り付けられるとともに、前記係止綴具は、フォルダーファイルの中央折り畳み線よりもどちらか一方側に偏って取り付けられることを特徴とする係止綴具を用いたフォルダーファイル。
【請求項６】
フォルダーファイルが少なくとも外側部材と内側部材の二重構造のものであり、これら上記両部材の一方側から開口させた挿通孔から前記係止綴具の一方と他方のアーチ部のみ露出させて、前記台座は上記挿通孔から露出せ隠れるように取り付けられていることを特徴とする請求項５記載の係止綴具を用いたフォルダーファイル。
【請求項７】
前記外側部材と内側部材の間に介在される取り付け用介在シートとを備え、前記係止綴具は、取り付け用介在シートに前記台座を介して取り付けられて、前記外側部材と内側部材の間に挿入されていることを特徴とする請求項６記載の係止綴具を用いたフォルダーファイル。
【発明の詳細な説明】
【技術分野】
【０００１】
本発明は、ファイル用の穴の開いた用紙類やシート類等を簡単に取り外したり取り付けたりすることができる係止綴具及びこれを用いたフォルダーファイルに関するものである。
【背景技術】
【０００２】
従来から、ファイル用の穴の開いた用紙類やシート類等を取り外したり取り付けたりする係止綴具としては、システムノートやシステム手帳、本棚や戸棚などに収納するファイリングシステム等のフォルダーファイルに一体的に取り付けられて使用されることが多い。
【０００３】
上記係止綴具としては、例えば、図８に示す係止綴具が挙げられる。図８は、特許文献１に開示された発明（リフター）が取り付けられるフォルダーファイルＦ（システムノート２）を図示したものであり、このフォルダーファイルＦには、その中央糊代部分Ｆｃに一体的に係止綴具が設けられている。この係止綴具は、複数の開閉可能な金属製の係止リング２０と、これら係止リング２０を同時に開閉させる開閉手段２２を有する。用紙類やシート類等をこの係止綴具に係止させる際は、開閉手段２２を押し下げることにより、係止リング２０を左右に開き、係止リング２０の左右いずれかのアーチ２１，２１に用紙類やシート類を通し、この状態で開閉手段２２を押し上げ、係止リング２０を閉じる。これにより、係止綴具に用紙類等を係止させることができる。逆に、用紙類等を取り外す際も、同様の作業を行えばよい。
【０００４】
【特許文献１】特開平８−２５８６８号公報
【発明の開示】
【発明が解決しようとする課題】
【０００５】
ところで、上記フォルダーファイルにファイルされた紙類やシート類にメモ書きをして即座に相手に渡したい場合がある。この場合、渡された相手方もそれをファイルする場合があるから、ファイル用の穴の開いた用紙類やシート類等を破損させることなく渡すことが理想的である。また、紙類やシート類をファイルするときも簡単にファイルできることが理想的である。そして、上記フォルダーファイルに限らず、日常のメモ書き等をした場合に、それを冷蔵庫のドアや側面に固定したり、ボード（掲示板、黒板、ホワイトボード等）に固定した状態において、簡単に取り外したり取り付けたりすることができれば一層理想的である。
【０００６】
しかしながら、上記係止綴具が一体的に取り付けられたフォルダーファイルでは、係止リング２０の開閉のために、開閉手段９を設けているので、その機構が複雑で、用紙類の交換作業に手数がかかるのみならず、高価なものとなっていた。また、紙類やシート類等のファイルを確実にするために、一方と他方のアーチ部２１が強固な係合状態であり、両アーチ部２１の閉塞状態のまま紙類やシート類等を破損させずに取り外したり取り付けたりすることは不可能であった。また、強固な係合状態により、指を損傷させるような恐れや、挟み込むと、用紙類を損傷させることも見受けられた。なお、上記フォルダーファイルが衣服のポケット等に収める小型で薄型の場合には、上記金属製のアーチ部２０が薄型の妨げになる場合を有していた。
【０００７】
一方、冷蔵庫のドアや側面に固定したり、ボードにメモ書きやパンフレット等を固定した状態におくときは、押しピンにより固定したり、磁石により固定したりしている程度に過ぎない。すなわち、上記従来例の上記係止綴具では、その機構が複雑であり、しかも、ファイル用の穴の開いた用紙類やシート類等を破損させることなく即座に渡すことはできない。
【０００８】
そこで本発明の目的は、ファイル用の穴の開いた用紙類やシート類等を破損させることなく即座に取り外したり、取り付けも簡単に行える係止綴具及びこれを用いたフォルダーファイルを提供することにある。
【課題を解決するための手段】
【０００９】
本発明の請求項１記載の係止綴具は、ファイル用の穴の開いた用紙類やシート類等を取り外したり取り付けたりする係止綴具であって、弾性変形する一方のアーチ部と他方のアーチ部と、これら両方のアーチ部が取り付けられる台座とを備え、上記一方のアーチ部と他方のアーチ部の先端部同士が、上記弾性変形を利用した接触状態におかれていることを特徴とする。
【００１０】
本発明によれば、係止綴具にファイルされた用紙類やシート類等を取り外すときは、用紙類等のどこかを摘むなどして軽く引っ張ると、上記一方のアーチ部と他方のアーチ部の先端部同士が上記弾性変形を利用した接触状態におかれていることから、用紙類等が抜け出るだけの隙間が生じて、紙類やシート類等を破損させることなく迅速に係止綴具から取り外すことができる。一方、ファイル用の穴の開いた用紙類やシート類等を係止するときは、上記一方のアーチ部に外力を加えるなどして上記弾性変形を利用して先端部同士が接触した状態から先端部同士に隙間を生じさせると、この隙間から用紙類等を保持させることができる。そして、上記隙間が生じた後は、上記一方のアーチ部と他方のアーチ部の先端部同士が上記弾性変形を利用した接触状態におかれていることから、速やかに両方の先端部同士が元の接触状態に戻ることとなる。
【００１１】
本発明の請求項２記載の係止綴具は、請求項１記載の発明を前提として、前記台座と前記一方のアーチ部と他方のアーチ部とが同じゴム製で一体的に成形されるとともに、全体で略半円形状を呈するように構成されていることを特徴とする。
【００１２】
本発明によれば、ゴム製の材料を上記形状に切削加工すれば、容易に上記構成の係止綴具を製作することができる。そして、全体で略半円形状を呈するように構成されることにより、ページ捲りを行う際において（一方のアーチ側から他方のアーチ側に用紙類等を移動させる際において）、穴の開いた用紙が引っかかったり損傷したりすることなく移動させることができる。また、請求項４のように、上記台座に、磁石が固定されるか、接着剤を付着させたシートが貼着されているか、又は、両面テープが貼着されていることにより、本発明の係止綴具を容易に冷蔵庫のドアや側面部、壁やボード（掲示板、黒板、ホワイトボード）等に容易に固定して使用することができる。
【００１３】
本発明の請求項３記載の係止綴具は、請求項１記載の発明を前提として、前記一方と他方のアーチ部の幅及び／又は厚さが各々の基端側から先端部に向かって狭くなっていることを特徴とする。
【００１４】
本発明によれば、上記一方と他方のアーチの幅及び／又は厚さが、各々の基端側から先端部に向かって狭くなっているため、係止綴具に閉じられた用紙類等のページ捲りを行う際において、一方のアーチから他方のアーチにファイル用の穴の開いた紙類やシート類を移動させる際に、両アーチの先端部分でファイル用の穴の開いた用紙が引っかかったり損傷したりする事態を抑制することができる。すなわち、仮に上記一方と他方のアーチの先端部の接触状態にズレが生じていたり、両アーチの傾斜角度が低い場合や、補充する用紙類が多くなったとしても、ページ捲りを行う際において、ファイル用の穴の開いた用紙類等が引っかかったり損傷したりすることが少なくなる。
【００１５】
本発明の請求項５記載のフォルダーファイルは、請求項１ないし請求項４記載の係止綴具が、矩形状のフレキシブル合成樹脂素材を外側部材として二つ折りにした所定サイズのフォルダーファイルに前記台座を介して取り付けられるとともに、前記係止綴具は、フォルダーファイルの中央折り畳み線よりもどちらか一方側に偏って取り付けられることを特徴とする。
【００１６】
本発明は、請求項１ないし請求項４記載の係止綴具が矩形状のフレキシブル合成樹脂素材を外側部材として二つ折りにした所定サイズのフォルダーファイルに取り付けられているものであるが、前記係止綴具が外側部材の中央折り畳み線よりもどちらか一方側に偏って取り付けられるため、上記外側部材の中央部に係止綴具を設置する場合と比較して、糊代（係止綴具を設置する場合の中央の取り付け用の幅）がない分だけその厚さを薄くでき、特に携帯用のメモ帳として最適なフォルダーファイルを得ることができる。また、フォルダーファイルを折り畳んだ状態で持ち運ぶ際に、前後から圧力が加わっても、上記弾性変形を利用したアーチ部の先端部同士の接触状態が維持される。
【００１７】
ここで、フォルダーファイルが少なくとも外側部材と内側部材の二重構造のものであり、これら両部材の一方側から開口させた挿通孔から前記係止綴具の一方と他方のアーチ部のみ露出させて、前記台座は上記挿通孔からは露出せず隠れるように取り付けられていることとすれば、美感上好ましく、しかも平坦部を広くすることができる。また、前記外側部材と内側部材の間に介在される取り付け用介在シートとを備え、前記係止綴具は、取り付け用介在シートに前記台座を介して取り付けられて、前記外側部材と内側部材の間に挿入されていることにより、前記外側部材と内側部材の間に簡単に安定して取り付けることができる。
【発明の効果】
【００１８】
本発明に係る係止綴具によれば、上記一方のアーチ部と他方のアーチ部の先端部同士が上記弾性変形を利用した接触状態におかれていることから、ファイル用の穴の開いた用紙類やシート類等を破損させることなく簡単に即座に取り外したり、簡単に取り付けたりすることができるため、メモ書き等を冷蔵庫のドアや側面に固定したり、ボード（掲示板、黒板、ホワイトボード等）に固定した状態にすることができるとともに、これをフォルダーファイルに綺麗に保存するときも、ファイル用の穴の開いた用紙類やシート類等を破損させることなく綺麗に保存することが可能になる。
【００１９】
また、本発明に係る係止綴具を用いたフォルダーファイルによれば、前記係止綴具は、フォルダーファイルの中央折り畳み線よりもどちらか一方側に偏って取り付けられることで、見開き状態からこれを折り畳むと、従来のフォルダーファイルと比較して、糊代がない分だけその厚さを薄くできるとともに、フォルダーファイルを折り畳んだ状態で持ち運ぶ際、前後から圧力が加わっても、上記弾性変形を利用したアーチ部の先端部同士の接触状態が維持されるため、用紙類等の安定した係止状態を保つことができる。
【発明を実施するための最良の形態】
【００２０】
以下、本発明の実施の形態について図面を参照しながら説明する。
【００２１】
（第１の実施の形態）
本実施の形態に係る係止綴具は、例えば、本棚の側面や冷蔵庫のドアや側面等に取り付けられて使用される係止綴具１に関するものである。すなわち、この係止綴具１は、図１と図２に示すように、一方のアーチ部２と他方のアーチ部２と、これら両方のアーチ部２，２の基端側２ｂが取り付けられる台座３とを備え、上記台座３に磁石が固定されて、この磁石を介して冷蔵庫のドアや側面等に取り付けられて使用される。なお、取り付けられる対象の用紙類やシート類等としては、ファイル用の穴の開いたルーズリーフであるとして説明するが、メモ用紙等であっても良い。
【００２２】
係止綴具１は、弾性変形するゴム製のもので、一方と他方のアーチ部２，２は、その基端側２ｂが矩形状の台座３の表面に一体的に取り付けられ、その先端部２ａ，２ａが互いに接触し、全体として略半円形状を呈している。
【００２３】
台座３は、一方と他方のアーチ部２，２を固定するための部材であり、両アーチ部２，２と同様にゴム製であり、これら両アーチ部２，２と一体的に形成される。この台座３の裏面に、接着剤を付着させたシートが貼着されているか、又は、両面テープが貼着されていることにより、ボード（掲示板、黒板、ホワイトボード等）に固定した状態におかれる。また、台座３の裏面に磁石を取り付け、この磁石を介して金属製等の対象物である冷蔵庫等のドアや側面に取り付けてもよい。
【００２４】
したがって、係止綴具１を本棚の側面や冷蔵庫のドア等に取り付けて、ルーズリーフＲ１やメモ書きを保持させることが容易に行われる。また、ルーズリーフＲ１等の用紙類やシート類以外のもの、例えば、輪ゴムや紐がついた小物（鍵等）を係止させる係止綴具１や、カレンダーの吊り下げ具や、簡単なメモを綴じる道具や、簡単な配線を固定する配線固定具等としても使用可能である。ファイル用の穴Ｒ１が設けられたルーズリーフＲの場合、これをフォルダーファイルに整理する場合もあるが、本実施の形態の係止綴具１によれば、上記両アーチ部２，２の先端部２ａ同士が上記弾性変形を利用した接触状態におかれていることから、ファイル用の穴Ｒ１の開いた用紙類やシート類等を破損させることなく、即座に取り外したり、取り付けも簡単に行え、綺麗にファイリングすることができる。すなわち、ゴム製であるので、仮に先端部２ａで挟み込んだとしても、ルーズリーフＲ等が破損することがない。
【００２５】
ここで、両アーチ部２，２の先端部２ａ，２ａは、上記弾性変形を利用した接触状態におかれている必要があるが、このような弾性変形を利用した接触状態としては、図７に示すように、先端部２ａ同士をアール（Ｒ）形状にしたり（図７（ａ））、波型形状にしたり（図７（ｂ）（ｃ））、ジグザグ状にしたり（図７（ｄ））することが可能である。これらはいずれも不測の外力が加わっても、先端部２ａの接触状態に隙間が生じる事態を防止することができるとともに、仮にずれたとしても、元の接触状態にスムーズに復帰することとなる。また、先端部２ａ同士の弾性変形を利用した接触状態としては、先端部２ａの先端の幅のみ狭くすることも可能である（図７（ｅ））。また、上記例は、いずれも断面が矩形形状のアーチ部２を構成しているが、これはゴムを素材として削り作業により容易に加工できることによる。このため、加工作業の困難性を問わなければ、リング状のものでも、本発明を適用することが可能である（図７（ｆ））。なお、本実施の形態ではゴムを素材として製作したが、弾性変形可能であれば、合成樹脂製であっても構わない。
【００２６】
（第２の実施の形態）
本実施の形態は、上記係止綴具を用いたフォルダーファイル４であり、ルーズリーフＲ等のファイル用の穴Ｒ１を有する用紙類やシート類をファイリング保持するためのものであり（システムノートやシステム手帳のファイルを含む）、特に、上着のポケットやズボンのポケット等に収納できる携帯用の大きさのフォルダーファイル４である。このフォルダーファイル４は、外側部材５と、内側部材７，８と、これらの間に介在される取り付け用介在シート６とを備える（図３、図４、図５）。
【００２７】
外側部材５は、矩形状のフレキシブル合成樹脂素材を中央で２つ折りとしたもので、２つ折りとした内側には内側部材７，８が重ね合わされて、互いの外周端のみ貼着されている。このため、上記二重構造によりポケット状の開口が形成され、上記取り付け用介在シート６が介在するスペースを形成している。取り付け用介在シート６は、上記係止綴具１を取り付けるためのものであり、係止綴具１の台座３に次のように取り付けられる。すなわち、取り付け用介在シート６の材料は、比較的薄い合成樹脂製のものを使用し、二つ折りにして二重にしているが（図６（ａ）（ｂ））、一枚物として使用することもできる（図６（ｃ）（ｄ））。ファルダーファイル４の内側になる内側部材８方向のみに、係止綴具１の一方と他方のアーチ部２，２を通すための挿通孔６ａ，６ａが設けられている。二重になった取り付け用介在シート６の間に係止綴具１を挿入し、そのアーチ部２，２を挿通孔６ａ，６ａから露出させると、台座３は取り付け用介在シート６の間に挟まれて確実に保持される。この状態でポケット状の外側部材５と内側部材８との間（隙間）に挿入されたとき、係止綴具１が確実に保持されるとともに、取り付け用介在シート６が受ける余分な力を吸収して、ゴム製である係止綴具１の弾性変形に対しての影響を少なくしている。
【００２８】
内側部材７，８は、矩形状のフレキシブル合成樹脂素材であるが、一方の内側部材８には係止綴具１の両アーチ部２，２を外部に露出させるための挿通孔８ａ，８ａが形成される（図４）。この挿通孔８ａ，８ａは、台座３が隠れるようにするものであり、係止綴具１の個数に応じて形成され、その幅は上記係止綴具１の一方と他方のアーチ部２，２の幅に対応する大きさであり、その長手方向の長さも、上記係止綴具２の両アーチ部２，２間の距離に対応する大きさである。したがって、台座３の大きさを大きくしても、台座３の存在は、外部からは認識できないようになっている。
【００２９】
上記係止綴具１は、取り付け用介在シート６を介して取り付けられ、上記挿通孔８ａから一方と他方のアーチ部２，２を露出させて取り付けられるが、取り付け用介在シート６には、ポケット状の外側部材５と内側部材８との間（隙間）に収納された際、内側部材８の挿通孔８ａ，８ａと重なる位置に、係止綴具１の両アーチ部２，２を通すための孔６ａ，６ａが設けられている。したがって、係止綴具１を外側部材５に取り付ける際は、まず、この取り付け用介在シート６の孔６ａ，６ａに各係止綴具１の一方と他方のアーチ部２，２を通し、その状態で、この取り付け用介在シート６を外側部材５と内側部材８との間（隙間）のポケット状の開口から挿入させれば良い。そして、上記挿通孔８ａ，８ａに係止綴具１の両アーチ部２，２を通すことにより、各係止綴具１は、一方と他方のアーチ部２，２のみが内側部材８の上に露出した状態になる（図５）。なお、外側部材５に、一方と他方のアーチ部２，２の突出状態を維持させる開口や凹部を形成することは任意である。
【００３０】
係止綴具１は、外側部材５の折り畳み線Ｌよりもどちらか一方側に偏った位置に取り付けられている。中央部に糊代Ｆｃを設けた係止綴具１を設置する場合と比較して（図８参照）、設置スペースとしての糊代Ｆｃがいらず、その分薄く折り畳むためである。ここで、係止綴具１を外側部材５に取り付ける際、取り付け用介在シート６を介することなく、係止綴具１の両アーチ部２，２を挿通孔８ａ，８ａに直接通してもよいが、取り付け用介在シート６を介することで外側部材５と内側部材８との間で係止綴具１の摩擦力が増すため、その分、係止綴具１がずれにくくなる。
【００３１】
ここで、一方と他方のアーチ部２，２の幅と厚さは、断面が半円形状であれば、ページを捲る際にルーズリーフＲ等が両アーチ部２，２の先端部２ａ，２ａに引っかからずに捲ることができる。しかし、フォルダーファイルを小型化・薄型化するためには、ページを捲る際にルーズリーフＲ等が両アーチ部２，２の先端部２ａ，２ａに引っかかる可能性が高くなる。また、綴られるルーズリーフＲの枚数が増えれば増えるほどルーズリーフＲ等が引っかかる可能性が高くなる。このような場合は、両アーチ部２の上面以外の両側面及び下面を削り、両先端部２ａ，２ａに近づくにつれて、両アーチ部２，２の幅Ｈ１が狭く、更に厚さＨ３が薄くなるようにすると良い（図１、図２）。すなわち、一方と他方のアーチ部２の幅Ｈ１，Ｈ２が基端側２ｂから先端部２ａに向かって序々に狭くなっている（アーチ部２の先端部２ａの幅Ｈ１の方が基端側２ｂの幅Ｈ２よりも狭い）。更に、一方と他方のアーチ部２の厚さＨ３が各々の基端側２ｂから先端部２ａに向かって序々に狭くなっている（アーチ部２の先端部２ａの厚さＨ３の方が基端側２ｂの厚さＨ３よりも狭い）。ここで、上記幅及び厚さのいずれか一方のみ先端部２ａに向かって序々に狭くしても良い。これにより、ルーズリーフＲ等が一方と他方のアーチ部２，２の接触部分２ａを通過する際において、両アーチ部２，２の先端部２ａ，２ａに引っかかる可能性を抑制することができるとともに、仮に上記先端部２ａ同士がずれたとしても、元の接触状態にスムーズに復帰することとなる。
【００３２】
したがって、本実施の形態のフォルダーファイル４を実際に使用する場合において、ファイル用の穴Ｒ１の開いた用紙類やシート類等を取り外す場合は、一方と他方のアーチ部２，２は閉塞状態のままルーズリーフＲ等を一方と他方のアーチ部２，２の先端部２ａ，２ａ付近で押圧したり引っ張る等するだけで、一方と他方のアーチ部２，２が弾性変形し、ルーズリーフＲ等が抜け出るだけの隙間が生じて、ルーズリーフＲ等を破損させることなく即座に一方と他方のアーチ部２，２から取り外すことが可能となる。逆に取り付ける場合は、先端部２ａ同士が弾性接触する一方と他方のアーチ部２，２の少なくとも一方を指で摘むか押圧するようにすると、両アーチ部２，２の先端２ａ側に隙間を容易に生じさせることができ、この隙間から両アーチ部２，２のいずれかにルーズリーフＲ等の孔Ｒ１・・を通すことで、ルーズリーフＲ等を両アーチ部２，２に保持させることができる。そして、上記隙間が生じた後は、上記一方のアーチ部と他方のアーチ部２，２の先端部２ａ同士が上記弾性変形を利用した接触状態におかれていることから、速やかに両方の先端部２ａ同士が元の接触状態に戻ることとなる。
【００３３】
次に、フォルダーファイル４に複数枚のルーズリーフＲ等を保持させた状態で、ページ捲りを行う場合、両アーチ部２，２の先端側の幅Ｈ１や更には厚さＨ３が基端側２ｂよりも狭く（薄く）なっているため、ルーズリーフＲが一方と他方のアーチ部２，２の接触部分２ａを通過する間、すなわちルーズリーフＲが一方と他方のアーチ部２，２のいずれか一方の先端部２ａから、他方の先端部２ａに移動する際に、ルーズリーフＲが引っかからず、スムーズなページ捲りが可能となる。
【００３４】
また、上記フォルダーファイル４を背広やズボンのポケットに収納して携帯する場合、フォルダーファイル４はできるだけ小型で薄くなるほうが好ましい。本係止綴具１は、外側部材５の折り畳み線Ｌよりもどちらか一方側に偏った位置に取り付けられるため、中央部に係止綴具１を設置する場合と比較して、設置スペースとしての上記中央の糊代Ｆｃがいらず、その分薄く折り畳むことが可能となる。更に、係止綴具１が弾性変形できるため、フォルダーファイル４を折り畳んだ状態で持ち運ぶ際、前後から圧力が加わることで、係止綴具１が弾性変形して圧縮されても、先端部２ａ同士の接触状態がずれるような事態を抑制することができる。
【図面の簡単な説明】
【００３５】
【図１】本発明の第１の実施の形態の係止綴具を示す斜視図である。
【図２】上記第１の実施の形態の係止綴具を示す側面図である。
【図３】本発明の第２の実施の形態のフォルダーファイルを示す斜視図である。
【図４】本実施の形態のフォルダーファイルの係止綴具の取り付け方を説明する斜視図である。
【図５】本実施の形態のフォルダーファイルの係止綴具周辺の構造を示す斜視図である。
【図６】本実施の形態のフォルダーファイルからルーズリーフ等を取り外す状態と、取り付け用介在シートの形態を示す断面図であり、（ａ）は、取り外すルーズリーフ等を係止綴具の一方と他方のアーチ部の先端部付近まで捲った状態を示す図であり、（ｂ）は、上記状態のルーズリーフ等を上方に引っ張った状態を示す図である。（ｃ）は、上記（ａ）の場合の取り付け用介在シートが一枚ものの場合を示す図であり、（ｄ）は、上記（ｂ）の場合の取り付け用介在シートが一枚ものの場合図である。
【図７】本実施の形態のフォルダーファイルの係止綴具について他の例を示す平面図である。
【図８】従来のルーズリーフ等の係止綴具を示す斜視図である。
【符号の説明】
【００３６】
１          係止綴具、
２          一方と他方のアーチ部、２ａ    先端部（接触部分）、２ｂ  基端側
３          台座、
４          フォルダーファイル（外側部材）、  
５          外側部材、
６          取り付け用介在シート、
７          内側部材、
８          内側部材、８ａ  挿通孔、
Ｈ１        アーチ部の先端側の幅、Ｈ３  アーチ部の先端側の厚さ、
Ｈ２        アーチ部の基端側の幅、Ｈ４  アーチ部の基端側の厚さ、
Ｌ          外側部材の折り畳み線、
Ｒ          ルーズリーフ（用紙類やシート類）、Ｒ１  ファイル用の穴、
【図１】
2007130920.tif 000003
【図２】
2007130920.tif 000004
【図３】
2007130920.tif 000005
【図４】
2007130920.tif 000006
【図５】
2007130920.tif 000007
【図６】
2007130920.tif 000008
【図７】
2007130920.tif 000009
【図８】
2007130920.tif 000010